(57)【要約】【課題】本発明の課題は、粉塵などの多い作業環境においても、作業者が、切断位置を示す墨線をはっきり見ることができ、正確な作業ができる携帯用電動工具を提供することである。【解決手段】切断部、加工部等の所望の領域を照明する照明装置を備えた携帯用電動工具において、上記照明装置として発光波長が５５０ｎｍから６２０ｎｍの範囲にある単色光を発光するＬＥＤを用いた。【選択図】  図１
2004167883.tif 000002
【特許請求の範囲】
【請求項１】
切断部、加工部等の所望の領域を照明する照明装置を備えた携帯用電動工具において、上記照明装置は発光波長が５５０ｎｍから６２０ｎｍの範囲にある単色光を発光するＬＥＤよりなることを特徴とする携帯用電動工具。
【請求項２】
電動機を内蔵した本体と該電動機により回転駆動される鋸刃と該鋸刃の刃先部を照射する照明装置とを有し、上記照明装置は発光波長が５５０ｎｍから６２０ｎｍの範囲にある単色光を発光するＬＥＤよりなることを特徴とする携帯用切断電動工具。
【請求項３】
ベースと、該ベースに対して傾斜可能に支持された丸のこ本体とよりなり、該丸のこ本体は電動機と、該電動機により回転駆動される鋸刃と、該鋸刃の刃先部を照射する第１のＬＥＤと、上記ベースの先端部を照射する第２のＬＥＤとを有し、上記第１のＬＥＤ及び第２のＬＥＤは発光波長が５５０ｎｍから６２０ｎｍの範囲にある光を発光するＬＥＤよりなることを特徴とする携帯用丸のこ。
【請求項４】
請求項３において第１及び第２のＬＥＤを駆動するための駆動回路を有し、駆動回路は上記刃先部及びベース先端部の照度が１００ルクス以上となるように上記第１及び第２のＬＥＤを駆動することを特徴とする携帯用丸のこ。
【請求項５】
請求項４において上記刃先部及びベース先端部の照度が１４０ルクス以上となるように上記第１及び第２のＬＥＤを駆動することを特徴とする携帯用丸のこ。
【請求項６】
切断部、加工部等の所望の領域を照明する照明装置を備えた携帯用電動工具において、上記照明装置は最大発光強度を有する光の波長が５５０ｎｍから６２０ｎｍの範囲にある単色光を発光するＬＥＤよりなることを特徴とする携帯用電動工具。
【発明の詳細な説明】
【０００１】
【発明の属する技術分野】
本発明は携帯用電動工具に係り、特に切断部、加工部あるいはその周辺を照らすための照明装置を備えた電動工具に関するものである。
【０００２】
【従来の技術】
【特許文献１】特開平１１−１７０２０３号公報
【特許文献２】実開昭６０−９８６０２号公報
【特許文献３】特開２００１−３００８１８号公報
【特許文献４】米国特許第５，４６１，７９０号公報
電動丸のこは被削材に書かれた墨線に沿ってその被削材を切断する用途に多用されている。図１０は携帯用集塵丸のこ１により被削材２０を切断している状況を示しており、ベース２に設けられた切込部１２を墨線２１に合わせて丸のこ本体１を移動することにより鋸刃４が墨線２１に沿って被削材２０を切断する。図１１は一部を拡大して示したもので鋸刃４が被削材を切断する際、多量の切粉が発生する状況を示している。このように粉塵の多い環境の中でも精度の高い作業ができるように携帯用電動工具に照明装置をつける構造が提案されている。
【０００３】
実開昭６０−９８６０２（特許文献２）には電動丸のこを使って精度の高い作業を行うために回転刃の保護カバーに透明窓を有する照明器を取り付け、その内部に電球を配設した構造が開示されている。
【０００４】
また特開平１１−１７０２０３（特許文献１）にはのこ刃の刃先の視認性及び組立性の向上性を図るため、のこ刃の刃先をのこ刃の切断方向に対して直角方向に照らす電球を設けた携帯用丸のこが開示されている。
【０００５】
更に特開２００１−３００８１８（特許文献３）には、切断加工により切り粉が巻き上げられても照明効率が低下しにくいようにするため、切断刃に対して面直方向にずれた位置に電球を配置した携帯用丸のこが開示されている。
【０００６】
また米国特許第５，４６１，７９０（特許文献４）には、丸のこを用いてより精度の高い切断を行うために、のこ刃のシールド部にレーザダイオードを設けた構造が開示されており、そのダイオードの発光波長が６３０〜６７０ｎｍのものが使用されるという記載がある。
【０００７】
【発明が解決しようとする課題】
上述の特許文献１、２、３に開示された電動丸のこはいずれも照明装置として電球を用いているが、電球はスペースをとるためにその設置場所に制約があるという欠点があり、また振動の激しい電動工具に用いる場合は頻繁に断線を生じ易いという問題があった。
【０００８】
一方、特許文献４に記載されているようなレーザダイオードは上記のような問題がなく小型で且つ光の指向性も大きいため、切断部などを局所的に照明する場合に適している。しかしながら特許文献４に記載されている波長が６３０〜６７０ｎｍのレーザダイオードを実際に用いてみると、必ずしも視認性に優れているとは言えないことが判明した。
【０００９】
一般的に人間の眼は明るい環境では５５５ｎｍの緑の波長に最も効率より反応することが知られている。また人間の眼は暗い環境で活発に反応する細胞と、明るい環境で活発に反応する細胞の二種類があるため、暗いところでは青色の光を明るく感じ、明るいところでは赤色を明るく感じることも知られている。
【００１０】
図２は人間の眼の比視感度特性を示すもので横軸に光の波長、縦軸に比視感度をとってある。この図から暗い場所では波長が５００ｎｍ程度の色に感度が高いが、明るい場所になるに従って感度の高い色は、より波長の長い色に移ることが分かる。
【００１１】
通常電動工具は昼間に用いられることが多いから赤色は見やすいはずであるが、実際には意外に視認性がよくない原因はいろいろ考えられる。その一つは、電動工具に用いられる照明装置の特殊性にあると考えられる。すなわち電動工具の照明装置は単に周囲を明るくするという一般の照明と異なり鉛筆などで書かれた特定の線、つまり墨線を見やすくするということに主たる目的がある。例えば電動丸のこの場合は被削材に予め書かれた墨線に沿って正確に切断することが要求され、また携帯用ドライバの場合は、ねじ締め位置に鉛筆などで書かれた目印に正確にねじを位置合わせして、ねじ締め作業を行うことが要求される。この被削材あるいは被加工部に書かれる墨線や目印は通常黒色であるため、この線に赤色光を照射したときに黒が見えにくくなるということが考えられる。
【００１２】
一方、赤色発光ダイオードに代えて、白色のＬＥＤを用いて実験をしたところ、これにも問題があることが判明した。この白色ＬＥＤは青色ＬＥＤと蛍光体を組み合わせ結果的に青色と黄色の光を混合することにより白色を発光させるものである。
【００１３】
この白色ＬＥＤを電動丸のこに用いて切断したところ墨線が見にくいことが確認された。またこの白色ＬＥＤを粉塵が大量に発生する電動工具、例えば、携帯用集塵丸のこに用いたところ、撒き散らされる粉塵や集塵機に集塵されつつある粉塵に白色光が照射されて乱反射が起こり、刃先及び刃先前方の墨線を確認することができないという不具合があった。
【００１４】
本発明は上記のような問題を解決した携帯用電動工具を提供することを目的とする。すなわち、本発明は被削材あるいは加工物に書かれた墨線が見易く、しかも粉塵が多量に存在する作業環境でも目視したい箇所が見易い照明装置を備えた電動工具を提供することを目的とするものである。
【００１５】
【課題を解決するための手段】
本発明者は課題解決にあたりトンネルの中の照明として一般的に採用されているナトリウム灯に着目した。即ちトンネルの中は粉塵が舞い易く、排気ガスが充満した環境にあるため、電動工具が使用される環境とアナロジーがある可能性がある。また、霧など乱反射が生じ易いときに使用される自動車のフォグランプにも着目した。即ち霧と粉塵とは異なるが、いずれも乱反射を起こし易い環境にあることは共通しているからである。本発明者は電動工具が使用される場所とは全く異なるが上述のいずれの環境においても黄色または橙色のランプが使用されていることに着目し、検討を加えた結果、請求項記載の発明に到達した。
【００１６】
請求項１に記載された本発明は、切断部、加工部等の所望の領域を照明する照明装置を備えた携帯用電動工具において、上記照明装置として発光波長が５５０ｎｍから６２０ｎｍの範囲にある単色光を発光するＬＥＤを用いたことに一つの特徴がある。
【００１７】
本発明の他の特徴は、ベースと、該ベースに対して傾斜可能に支持された丸のこ本体とよりなる携帯用丸のこにおいて、鋸刃の刃先部を照射する第１のＬＥＤと、上記ベースの先端部を照射する第２のＬＥＤとを備え、上記第１及び第２のＬＥＤとして発光波長が５５０ｎｍから６２０ｎｍの範囲にある光を発光するＬＥＤを用いたことにある。
【００１８】
本発明の他の特徴は、上記の第１及び第２のＬＥＤを駆動するための駆動回路を有し、駆動回路は上記刃先部及びベース先端部の照度が１００ルクス以上となるように上記第１及び第２のＬＥＤを駆動し、さらに望ましくは、１４０ルクス以上となるように上記第１及び第２のＬＥＤを駆動するように構成したことにある。
本発明の他の特徴及び利点は以下の実施形態の説明からさらに明確に理解される。
【００１９】
【発明の実施の形態】
本発明は各種の電動工具に適用可能であるが、特に携帯用集塵丸のこに適用したときに特に大きな効果が得られるので以下携帯用集塵丸のこの実施例について説明する。
図１は本発明の実施例を示す正面図、図３はその上面から見た平面図、図４は背面図である。携帯用集塵丸のこは丸のこ本体１と、切断すべき被削材の上面に載せるベース２とを備えている。丸のこ本体１はベース２に対して傾斜ができるように支持部３を支点として回動可能に支持されている。４は円形の鋸刃で丸のこ本体に回動可能に保持され、電動機（図示せず）を動力として回転駆動する。鋸刃４の上側と側方はソーカバー５により覆われている。
【００２０】
鋸刃４の回転軸６にはセーフティーカバー７が回動可能に取り付けられて、これにより鋸刃４の下側ほぼ半周の範囲がカバーされる。丸のこ本体１を切断進行方向に移動させると回動して鋸刃４の下側半分が徐々に露出されるように構成されている。
【００２１】
鋸刃４の側面部にはギヤケース８が設けられている。このギヤケース８内には電動機カバー９内に設けられた電動機の回転を減速させるための歯車（図示せず）が内蔵されている。電動機の回転は上記ギヤケース８内の歯車を介して鋸刃４の回転軸６に伝達されることにより鋸刃４が回転する。鋸刃４の回転により被削材を切断することにより発生した粉塵は管状をした粉塵排出口１１から外部に放出される。
【００２２】
本実施形態においては照明用のＬＥＤが４個搭載されている。２個のＬＥＤＬ１、Ｌ２は鋸刃４とハンドル部１０の間の丸のこ本体１の下部に位置し、鋸刃４に近接して配置されている。このＬＥＤＬ１、Ｌ２は鋸刃４が被削材上面に描かれた墨線に沿って切断しているかどうか確認できるように、鋸刃４と被削材とが接触している部分及びその周辺の領域を照射する（図１）。
【００２３】
一方他の２個のＬＥＤＬ３、Ｌ４は鋸刃４とハンドル部１０の間の丸のこ本体の上部に位置し（図４）、ベース２の前方を照射する。すなわち、このＬＥＤＬ３、Ｌ４はベース２に設けられた切込部１２が被削物の上面に描かれた墨線に沿って移動しているかどうかを確認できるように丸のこ本体１の進行方向であってベース２に近接した領域を照射するために設けられている。
【００２４】
図５は上記ＬＥＤＬ１〜Ｌ４を駆動する回路の一実施例を示す。電源からの電圧はスイッチＳＷ及び抵抗Ｒ１、Ｒ２、Ｒ３、Ｒ４を介してダイオードブリッジ回路ＢＤの一対の端子に印加される。このブリッジ回路ＢＤにより整流された電圧はブリッジＢＤの他の一対の端子より取り出されツェナーダイオードＺ１により定電圧化された後、ＬＥＤＬ１〜Ｌ４に加えられる。この電気回路は丸のこ本体１の鋸刃４とハンドル部１０との間の一部の空間に収納されている。
【００２５】
本発明では上記ＬＥＤＬ〜Ｌ４として発光波長が５５０ｎｍから６２０ｎｍの範囲にある単色光の発光ダイオードが使用される。図９は既に市販されている黄色（あるいは橙色）の発光をするＬＥＤの波長特性を示しているが、この発光色が多量の粉塵中で墨線を目視するときに、最も視認性のよいことが確認された。なお、約９０名を対象に視認性の良さについて確認を行ったが、ほぼ全員が白色ＬＥＤよりも本発明のＬＥＤの方が見易い、即ち視認性に優れていると評価した。
【００２６】
この理由はいろいろ考えられるが、図２に示した比視感度が５５０ｎｍ〜６２０ｎｍの領域でかなり高いこと、また単色光であるため木材などからの反射が少ないこと、また多量の粉塵の中で乱反射することがないこと等が原因と考えられる。なお、霧など乱反射が生じ易いときに使用される自動車のフォグランプも、黄色または橙色を採用しており、黒を際立たせる色として黄色が効果的であることも一つの理由と考えられる。
【００２７】
次に本発明装置における照明装置の照度について説明する。
図６及び図７はそれぞれ図１及び図４の状態から鋸刃４の切り込み深さを小さくした状態を示す正面図と背面図であり図８は図４の平面図である。切り込みが深い場合、図１に示すように刃先部用のＬＥＤＬ１，Ｌ２は被削材に極めて近接しているので照度が大きいが、図６のように切り込み深さを小さくするとＬＥＤＬ１、Ｌ２が被削材から若干離れるために照度は低下する。本発明の実施例のように刃先部用に２個のＬＥＤを用いた場合、切り込み時が９ｍｍと浅い場合でもベース底面で１４０ルクスが得られた。最大切込み時はこの２倍以上の照度が得られた。
【００２８】
またベース先端部を照明するためのＬＥＤＬ３、Ｌ４は上下に２個配置され、上部にあるＬＥＤＬ３によりベース２に最も近接した領域を照らし、下部にあるＬＥＤＬ４は上記領域よりベース２から離れた領域を照らすように配置されている。このＬＥＤＬ３、Ｌ４は図４に示すように鋸刃４の切込み深さが深い場合よりも図７に示すように切込み深さか浅い方が被削材を真上に近い部所から照射するようになり照度が大きくなる。
【００２９】
本発明の実施例のように２個のＬＥＤＬ３、Ｌ４を上下方向に配列した場合、最大切込み深さの状態でもベース底面で１４０ルクスが得られた。切込み深さが９ｍｍ程度と浅い場合にはこの照度が３０％程度高くなる。従って本発明装置の実施例では刃先部及びベース先端部の照度が最も低い場合でも１４０ルクス程度を確保でき、極めて多量の粉塵が発生しても墨線の目視に支障がないことが確認された。この照度は高い程良いが、最低でも１００ルクス程度あることが望ましいことも確認された。
【００３０】
なお、上記実施形態では、発光ダイオードＬＥＤＬ１〜Ｌ４の発光波長が５５０ｎｍから６２０ｎｍの範囲内にある例を挙げたが、全ての発光波長が５５０ｎｍから６２０ｎｍの範囲内になくとも、最大発光強度を有する光の波長が５５０ｎｍから６２０ｎｍの範囲内にある単色光の発光ダイオードであれば、上記実施形態と同様の効果を奏し得るものである。
【００３１】
以上本発明の一実施形態について述べたが、本発明の基本的な考え方を変更しない範囲で種々の変形をなし得ることは当然である。例えば、上述の実施形態では刃先部照明用のＬＥＤとベース先端部照明用のＬＥＤを設けたがいずれか一方を設けるようにしてもよい。また実施形態では携帯用集塵丸のこの例について述べたが一般的な電動工具に本発明を適用することは可能である。図１２は一例として本発明をドライバドリルに適用した例を示す。本体部３０から垂下するハンドル部３１の上方であってビット３２の先端部を照明するようにＬＥＤ３５が取り付けられている。これにより加工板３６に描かれた目印のマーク３３に合わせてネジ３４を締め付ける作業が正確かつスムースに行うことが可能になる。
【００３２】
本発明はこのようにいろいろな種類の電動工具に適用できるが、単にねじを締めたり釘を打ったりする工具より被削材を切断する工具に適用した場合の方が大きな効果を発揮する。
【００３３】
【発明の効果】
本発明によれば、照明装置の光源を、黄色、又は橙色の単色光にしたので、粉塵などの多い作業環境においても、作業者が、切断位置を示す墨線をはっきり見ることができ、正確な作業ができる。また、薄い墨線、ねじ締め位置の目印でも、十分に確認がすることができ、墨線の引き直し、目印の付け直しなど、不要の作業をなくすことができるので作業性の向上を図ることができ、作業性の良い携帯用電動工具を提供することができる。
【図面の簡単な説明】
【図１】本発明にかかる電動工具の一実施例を示す正面図。
【図２】比視感度特性の説明図。
【図３】本発明にかかる電動工具の一実施例を示す平面図。
【図４】本発明にかかる電動工具の一実施例を示す背面図。
【図５】本発明にかかる電動工具に用いられるＬＥＤの駆動回路図。
【図６】本発明にかかる電動工具の一実施例を示す正面図。
【図７】本発明にかかる電動工具の一実施例を示す背面図。
【図８】本発明にかかる電動工具の一実施例を示す平面図。
【図９】本発明にかかる電動工具に用いられるＬＥＤの波長特性図。
【図１０】携帯用集塵丸のこで被削材を切断している状態を示す説明図。
【図１１】携帯用集塵丸のこで被削材を切断している状態を示す一部拡大図。
【図１２】本発明をドライバドリルに適用した例を示す説明図。
【符号の説明】
１：丸のこ本体
２：ベース
３：支持軸
４：鋸刃
５：ソーカバー
６：回転軸
７：セーフティーカバー
８：ギヤケース
９：電動機カバー
１０：ハンドル部
１１：粉塵排出口
１２：ベースカバー切込部
Ｌ１〜Ｌ４：ＬＥＤ
【図１】
2004167883.tif 000003
【図２】
2004167883.tif 000004
【図３】
2004167883.tif 000005
【図４】
2004167883.tif 000006
【図５】
2004167883.tif 000007
【図６】
2004167883.tif 000008
【図７】
2004167883.tif 000009
【図８】
2004167883.tif 000010
【図９】
2004167883.tif 000011
【図１０】
2004167883.tif 000012
【図１１】
2004167883.tif 000013
【図１２】
2004167883.tif 000014